(57)【要約】【課題】樹脂製のボールリテーナのバリ取りを不要にして低コスト化を図ることができる安全性の高いワイパ装置のボールジョイント構造を提供する。【解決手段】ワイパモータの出力軸に一端部を固定したクランクアーム３とワイパアームを揺動させるピボットシャフトに一端部を固定したピボットアーム１３に、それぞれボールピン１１を固定し、この各ボールピン１１の球状部１１ａにクランクアーム３とピボットアーム１３を連繋させるリンクコンロッド６に取り付けられた樹脂製のボールリテーナ１２を球面対偶によって摺動自在に嵌合して成るワイパ装置のボールジョイント構造において、樹脂製のボールリテーナ１２の天井部１２ａの射出成形時のランナーに対向する位置に凹部１２ｂを形成した。【選択図】図１
2009287690.tif 000002
【特許請求の範囲】
【請求項１】
ワイパモータの出力軸に一端部を固定したクランクアームの他端部とワイパアームを揺動させるピボットシャフトに一端部を固定したピボットアームの他端部に、それぞれボールピンを固定し、この各ボールピンの球状部の球面に、前記クランクアームと前記ピボットアームを連繋させるリンクコンロッドの両端部に取り付けられた樹脂製のボールリテーナの摺動面を球面対偶によって摺動自在に嵌合して成るワイパ装置のボールジョイント構造において、
前記樹脂製のボールリテーナの射出成形時のランナーに対向する位置に凹部を形成したことを特徴とするワイパ装置のボールジョイント構造。
【請求項２】
請求項１記載のワイパ装置のボールジョイント構造であって、
前記樹脂製のボールリテーナの天井部の中央に前記凹部を形成したことを特徴とするワイパ装置のボールジョイント構造。
【請求項３】
請求項２記載のワイパ装置のボールジョイント構造であって、
前記ボールリテーナの天井部の凹部に対向する下面に回転止め用突起を一体形成したことを特徴とするワイパ装置のボールジョイント構造。
【発明の詳細な説明】
【技術分野】
【０００１】
本発明は、自動車のウインドシールドガラスの雨水を拭き払うワイパ装置に用いて好適なボールジョイント構造に関する。
【背景技術】
【０００２】
この種のワイパ装置として図３に示すものがあり、そのボールジョイント構造として図４に示すものがある（例えば、特許文献１参照。）。
【０００３】
図３に示すように、ワイパ装置１は駆動源としての減速機構付のワイパモータ２を備えていて、このワイパモータ２の出力軸２ａにクランクアーム３を固定してある。このクランクアーム３上には、図３及び図４に示すように、ボールピン４を突設してある。このボールピン４の球状部４ａの球面４ｂにはリンクコンロッド６の一端部に取り付けられた樹脂製で断面逆凹状のボールリテーナ５の摺動面５ａを球面対偶（すべり対偶）によって摺動自在に嵌合してある。
【０００４】
また、ワイパアーム７を揺動させるピボットシャフト８の一端部にはピボットアーム１３の一端部を固定してある。このピボットアーム１３の他端部にもボールピン４を突設してある。このボールピン４の球状部４ａの球面４ｂにクランクアーム３とピボットアーム１３を連繋させるリンクコンロッド６の他端部に取り付けられた樹脂製で断面逆凹状のボールリテーナ５の摺動面５ａを球面対偶によって摺動自在に嵌合してある。
【０００５】
尚、ピボットシャフト８は、図示しない車体に取付けられたピボットホルダ９に揺動自在に支承されている。これらボールピン４とボールリテーナ５とでボールジョイントが構成される。
【０００６】
そして、ウインドシールドガラス１４の雨水はワイパアーム７に取り付けられたワイパブレード７ａにより拭き払われるようになっている。
【０００７】
【特許文献１】特開２００３−２４７５２６号公報（図１）
【発明の開示】
【発明が解決しようとする課題】
【０００８】
しかしながら、前記従来のワイパ装置１のボールジョイント構造では、樹脂製のボールリテーナ５の天井部５ｂが円板状であるため、ボールリテーナ５を天井部５ｂの上側から射出成形する場合に、ランナーのバリ残りが天井部５ｂの上面より突出し、安全面からバリ取りが必要不可欠となって、コスト高になった。
【０００９】
また、ボールリテーナ５の天井部５ｂの下面（内面）に回転止め用の突起５ｃがあるタイプでは、天井部５ｂの肉厚が均一でなくなるため、その分ヒケが発生し易くなったり、材料費が嵩んでコスト高になった。
【００１０】
そこで、本発明は、前記した課題を解決すべくなされたものであり、樹脂製のボールリテーナのバリ取りを不要にして低コスト化を図ることができる安全性の高いワイパ装置のボールジョイント構造を提供することを目的とする。
【課題を解決するための手段】
【００１１】
請求項１の発明は、ワイパモータの出力軸に一端部を固定したクランクアームの他端部とワイパアームを揺動させるピボットシャフトに一端部を固定したピボットアームの他端部に、それぞれボールピンを固定し、この各ボールピンの球状部の球面に、前記クランクアームと前記ピボットアームを連繋させるリンクコンロッドの両端部に取り付けられた樹脂製のボールリテーナの摺動面を球面対偶によって摺動自在に嵌合して成るワイパ装置のボールジョイント構造において、前記樹脂製のボールリテーナの射出成形時のランナーに対向する位置に凹部を形成したことを特徴とする。
【００１２】
請求項２の発明は、請求項１記載のワイパ装置のボールジョイント構造であって、前記樹脂製のボールリテーナの天井部の中央に前記凹部を形成したことを特徴とする。
【００１３】
請求項３の発明は、請求項２記載のワイパ装置のボールジョイント構造であって、前記ボールリテーナの天井部の凹部に対向する下面に回転止め用突起を一体形成したことを特徴とする。
【発明の効果】
【００１４】
以上説明したように、請求項１の発明によれば、樹脂製のボールリテーナの射出成形時のランナーに対向する位置に凹部を形成したことにより、ランナーのバリ残りがボールリテーナの凹部内に位置して外に突出しないため、バリ取りが不要となり、低コスト化を図ることができると共に、安全性やレイアウト性の向上を図ることができる。
【００１５】
請求項２の発明によれば、樹脂製のボールリテーナの天井部の中央に凹部を形成したことにより、ランナーのバリ残りがボールリテーナの天井部の中央の凹部内に位置して外に突出しないため、バリ取りが不要となり、低コスト化を図ることができると共に、安全性やレイアウト性の向上を図ることができる。
【００１６】
請求項３の発明によれば、樹脂製のボールリテーナの天井部の凹部に対向する下面に回転止め用突起を一体形成したことにより、ランナーのバリ残りがボールリテーナの天井部の中央の凹部内に位置して外に突出しないため、バリ取りが不要となり、低コスト化を図ることができると共に、安全性やレイアウト性の向上を図ることができ、天井部の肉厚の均一化を図ることができ、これにより、ヒケ等の発生を防止することができると共に、材料費を削減して低コスト化を図ることができる。
【発明を実施するための最良の形態】
【００１７】
以下、本発明の一実施形態を図面に基づいて説明する。
【００１８】
図１は本発明の一実施形態であるワイパ装置のボールジョイント構造の断面図、図２は同ボールジョイント構造の要部の拡大断面図であり、図３に示すワイパ装置は援用する。
【００１９】
図１，図３に示すように、ワイパ装置１のワイパモータ２の出力軸２ａに一端部を固定したクランクアーム３とワイパアーム７を揺動させるピボットシャフト８に一端部を固定したピボットアーム１３のそれぞれ他端部には、金属製のボールピン１１が突設して固定されている。この各ボールピン１１の球状部１１ａには、クランクアーム３とピボットアーム１３を連繋させるリンクコンロッド６の両端にそれぞれ取り付けられた樹脂製で断面逆凹状のボールリテーナ１２を球面対偶によって摺動自在に嵌合してある。これらボールピン１１とボールリテーナ１２とでボールジョイント１０が構成されている。
【００２０】
図１に示すように、ボールピン１１は、頂上（上側）に回転止め用の凹部１１ｂを有した球状部１１ａと、この球状部１１ａの下側に一体形成された大径軸部１１ｄと、この大径軸部１１ｄの下側に段差状に一体形成された小径軸部１１ｅとで球形ピン状になっており、この小径軸部１１ｅをクランクアーム３の取付孔３ａ及びピボットアーム１３の取付孔１３ａに挿入して加締め等を施すことにより固定してある。そして、ボールピン１１の球状部１１ａの球面１１ｃには、樹脂製で断面逆凹状のボールリテーナ１２の摺動面１２ｆを球面対偶（すべり対偶）によって摺動自在に嵌合してある。
【００２１】
図１に示すように、樹脂製のボールリテーナ１２は断面円弧状（球面状）の天井部１２ａと該天井部１２ａの周縁より下方に略円筒状に延びる肉厚の周壁部１２ｄとで断面逆凹状になっていて、下面が開口している。この樹脂製のボールリテーナ１２の断面円弧状の天井部１２ａの上面の中央（頂上）には、逆円錐状の凹部１２ｂを形成してある。この逆円錐状の凹部１２ｂの最も窪んだ最底部は、図２に示すように、樹脂製のボールリテーナ１２の射出成形時のランナーＬの位置になっている。また、断面円弧状の天井部１２ａの凹部１２ｂに対向する下面（内面）には、回転止め用の突起１２ｃを一体突出形成してある。このボールリテーナ１２の回転止め用の突起１２ｃがボールピン１１の回転止め用の凹部１１ｂの周壁に当たることにより、ボールリテーナ１２の回動が規定されるようになっている。
【００２２】
また、図１に示すように、ボールリテーナ１２の肉厚の周壁部１２ｄの外周には円環状の凹部１２ｅを形成してあり、この円環状の凹部１２ｅをリンクコンロッド６の両端に形成された取付孔６ａの周縁部に嵌合或いはアウトサート成形等により取り付けてある。そして、ボールリテーナ１２の天井部１２ａ及び周壁部１２ｄの内周面である円弧環凹状の摺動面１２ｆは、ボールピン１１の球状部１１ａの球面１１ｃに球面対偶（すべり対偶）によって摺動自在に嵌合されている。
【００２３】
以上実施形態のワイパ装置１のボールジョイント構造によれば、図示しない成形用金型によりボールリテーナ１２を天井部１２ａの上側から射出成形する場合に、図２に示すように、樹脂製のボールリテーナ１２の断面円弧状の天井部１２ａの頂上に逆円錐状の凹部１２ｂを形成したことにより、ランナーＬのバリ残りＢが逆円錐状の凹部１２ｂの最も窪んだ最底部に位置して天井部１２ａの最上端より外に突出することがない。これにより、安全性の向上を図ることができ、また、バリ取りが不要となり、低コスト化を図ることができる。
【００２４】
さらに、ボールリテーナ１２の断面円弧状の天井部１２ａの凹部１２ｂに対向する下面に回転止め用の突起１２ｃを一体突出形成したことにより、天井部１２ａの肉厚の均一化を図ることができる。これにより、ヒケ等の発生を防止することができると共に、材料費を削減して低コスト化を図ることができる。また、レイアウト性の向上を図ることができる。
【図面の簡単な説明】
【００２５】
【図１】本発明の一実施形態であるワイパ装置のボールジョイント構造の断面図である。
【図２】上記ボールジョイント構造の要部の拡大断面図である。
【図３】ワイパ装置の全体構成を示す概略説明図である。
【図４】従来のワイパ装置のボールジョイント構造の断面図である。
【符号の説明】
【００２６】
１  ワイパ装置
２  ワイパモータ
２ａ  出力軸
３  クランクアーム
６  リンクコンロッド
７  ワイパアーム
８  ピボットシャフト
１０  ボールジョイント
１１  ボールピン
１１ａ  球状部  
１１ｃ  球面
１２  樹脂製のボールリテーナ
１２ａ  天井部
１２ｂ  凹部
１２ｃ  回転止め用の突起
１２ｆ  摺動面
１３  ピボットアーム
Ｌ  ランナー
Ｂ  バリ残り
【図１】
2009287690.tif 000003
【図２】
2009287690.tif 000004
【図３】
2009287690.tif 000005
【図４】
2009287690.tif 000006